(57)【要約】【課題】バックテンション軽減のため記録動作時に用紙ガイドが用紙の側端から離間する記録装置において、装置使用者が記録動作時に用紙ガイドを手で操作して用紙の側端に合わせると、離間動作が終了して用紙ガイドが内側に移動した時に用紙の不揃いや用紙端部の傷や折れなどの損傷を発生させる虞がある。【解決手段】ガイド部材（左ガイド部材１８）のラック部（左ガイド腕部材２２）と歯合する歯合位置と、該ガイド部材のラック部から離間する非歯合位置とを相互遷移するガイド部材ロック部材（サイドガイドロックギア２５）が設けられていて、該ガイド部材の圧板１１に対する移動を選択的に抑制する。【選択図】  図９
2013049503.tif 000002
【特許請求の範囲】
【請求項１】
被記録媒体を載置する圧板部材と、前記圧板部材に対して被記録媒体搬送方向に交差する方向へ移動可能に取り付けられたガイド部材と、前記被記録媒体を給送する給送手段と、前記給送手段の下流側に配置された搬送手段とを備え、前記ガイド部材あるいは前記ガイド部材の一部である側端ガイド部材を前記被記録媒体の側端から離間させる方向に移動させるガイド部材離間手段を有する記録装置において、
前記ガイド部材あるいは前記側端ガイド部材が前記被記録媒体の側端から離間しているときに、前記ガイド部材の前記圧板部材に対する移動を抑制するガイド部材ロック手段を備えたことを特徴とする記録装置。
【請求項２】
前記記録装置は、前記搬送手段の下流側に配置された記録手段を備え、前記記録媒体が前記搬送手段に到達し前記搬送手段による搬送動作開始後で、前記記録手段による前記被記録媒体への記録動作開始前に、前記ガイド部材離間手段による前記ガイド部材あるいは前記側端ガイド部材の離間動作が行われることを特徴とする請求項１に記載の記録装置。
【請求項３】
前記ガイド部材にはラック形状が一体的に形成され、前記ガイド部材ロック手段は前記ガイド部材のラック形状と歯合する歯型形状を有するガイド部材ロック部材が、前記ガイド部材のラック部と歯合する歯合位置と、前記ガイド部材のラック部から離間する非歯合位置とを相互遷移することであることを特徴とする請求項２に記載の記録装置。
【請求項４】
前記圧板部材に対して被記録媒体載置面の反対側に、回転中心を軸支されたレバー部材が設けられており、前記レバー部材の回動により、前記ガイド部材ロック部材の歯合位置と非歯合位置との相互遷移が行われることを特徴とする請求項３に記載の記録装置。
【請求項５】
前記レバー部材の回動により、前記ガイド部材ロック部材の移動と共に、前記ガイド部材あるいは前記側端ガイド部材の離間動作が行われることを特徴とする請求項４に記載の記録装置。
【請求項６】
前記圧板部材には、左右の前記ガイド部材が取り付けられ、また被記録媒体の幅方向中央部付近にピニオン部材が回動可能な状態で取り付けられ、前記ピニオン部材は前記左右のガイド部材のラック形状と歯合する位置に配置されており、前記ガイド部材ロック部材は前記ピニオン部材と前記左右のどちらか一方のガイド部材との間にて、当該ガイド部材のラック形状部に歯合する位置に配置され、かつ前記ピニオン部材の近傍に配置されていることを特徴とする請求項３に記載の記録装置。
【発明の詳細な説明】
【技術分野】
【０００１】
本発明は被記録媒体を給送する給送手段と、被記録媒体に画像を記録（印字）する記録手段とを備えた記録装置に関するものである。
【背景技術】
【０００２】
被記録媒体を給送する給送手段と、被記録媒体に画像を記録（印字）する記録手段とを備えた記録装置の一形態としてインクジェット記録装置がある。インクジェット記録装置の給送手段と記録手段の構成として、装置本体の後方上部に給送手段を配置し、給送部の前方に記録手段を配置したものが一般的であり、給送手段にセットされた被記録媒体を給送手段により記録手段に給送して、搬送手段により被記録媒体を搬送する中で記録手段により被記録媒体への記録動作を行ない、記録動作終了後に装置前方から被記録媒体を装置外に排出する構成となっている。
【０００３】
さらに給送手段においては、被記録媒体をセットする載置台に被記録媒体の幅方向両端部を規制するガイド部材が配置されており、装置使用者がセットする被記録媒体のサイズに合わせて片方または両方のガイド部材を移動させて、被記録媒体の幅方向両端部の位置を規制する構成となっている。上記ガイド部材が被記録媒体の側端部をガイドすることで横方向への位置ずれ（斜行など）を防ぎながら、給送手段から記録手段への被記録媒体の給送動作を精度良く行うことが可能な構成となっている。
【０００４】
ここで一般的なインクジェット記録装置は、給送手段から給送された被記録媒体が記録部における搬送手段によって搬送され、その後一旦停止した後に、インクカートリッジを搭載したキャリッジが被記録媒体搬送方向と交差する方向に往復移動する中でインクカートリッジから被記録媒体の被記録面にインクを吐出して記録動作を行う。１ラインの記録動作終了後に再度被記録媒体が搬送方向に一定量搬送され、その後停止し、再びキャリッジが搬送方向と交差する方向に移動する中でインクカートリッジからインクを吐出して記録動作を行う。この繰り返しにより被記録媒体上に記録画像が形成される構成となっている。
【０００５】
上記のようなインクジェット記録装置では、１ライン毎の記録動作が繰り返されるために、被記録媒体の搬送方向への搬送精度が画像品質に大きな影響を与える構成となっている。このため記録動作時においては被記録媒体の幅方向の位置を規制するガイド部材と被記録媒体側端部との間の摩擦抵抗がバックテンションとして働き、記録動作時における被記録媒体の搬送方向の搬送精度に影響を与え、画像品質を劣化させる一因となっている。
【０００６】
上記問題点に対して例えば特許文献１においては以下の構成の記録装置が提案されている。被記録媒体を載置し、上下方向に揺動して給送手段（送りローラ）に対して接触／離間させる圧板と、圧板に載置された被記録媒体の側端部をガイドするガイド部材を備え、圧板が上下方向の揺動に連動して横方向にも移動し、圧板の移動に連動してガイド部材も移動し、ガイド部材が被記録媒体の側端部から離間する構成となっている。
【先行技術文献】
【特許文献】
【０００７】
【特許文献１】特開２００６−８９２７８号公報
【発明の概要】
【発明が解決しようとする課題】
【０００８】
しかしながら、上記特許文献１に示した従来例では、以下に示す問題点があった。圧板とガイド部材が用紙の幅方向端部（被記録媒体の側端部）から離間する方向に移動して用紙の幅方向端部とガイド部材が離間した状態で用紙を搬送しているときに、装置使用者がガイド部材を手で操作して用紙の幅方向端部に合わせたとする。この状況において、用紙搬送動作およびガイド部材離間動作が終了して圧板とガイド部材が圧板上に載置された次ページ以降の用紙の幅方向端部に接近する方向に移動すると、ガイド部材が用紙の幅方向端部よりも内側に移動してしまい、用紙の不揃いや、用紙端部の傷や折れなどの損傷を発生させる虞があった。
【０００９】
そこで本発明は、用紙の幅方向端部とガイド部材が離間した状態において装置使用者がガイド部材を移動させることで発生する用紙の不揃いや用紙端部の損傷を防ぐことを目的とする。
【課題を解決するための手段】
【００１０】
本発明の一態様は、被記録媒体を載置する圧板部材と、前記圧板部材に対して被記録媒体搬送方向に交差する方向へ移動可能に取り付けられたガイド部材と、前記被記録媒体を給送する給送手段と、前記給送手段の下流側に配置された搬送手段とを備え、前記ガイド部材あるいは前記ガイド部材の一部である側端ガイド部材を前記被記録媒体側端から離間させる方向に移動させるガイド部材離間手段を有する記録装置において、前記ガイド部材あるいは前記側端ガイド部材が前記被記録媒体側端から離間しているときに、前記ガイド部材の前記圧板部材に対する移動を抑制するガイド部材ロック手段を備えたことを特徴とする。
【発明の効果】
【００１１】
本発明によれば、被記録媒体の側端に対するガイド部材の離間時において、該ガイド部材の移動を防ぐことが可能となる。このため、圧板部材上に載置された次ページ以降の被記録媒体の不揃いや、被記録媒体端部の損傷の発生が抑制される。
【図面の簡単な説明】
【００１２】
【図１】本発明の実施例であるインクジェット記録装置の概略斜視図。
【図２】本発明の実施例である給送部の斜視図（１）。
【図３】本発明の実施例である給送部の斜視図（２）。
【図４】本発明の実施例である給送部の概略断面図。
【図５】本発明の実施例である左右のガイド部材の連結状態の模式的斜視図。
【図６】本発明の実施例である記録部の概略断面図。
【図７】本発明の実施例であるガイド部材ロック部材周辺の模式斜視図。
【図８】本発明の実施例であるガイド部材の模式断面図。
【図９】本発明の実施例であるガイド部材とガイド部材ロック部材とレバー部材の模式斜視図。
【図１０】本発明の実施例であるガイド部材ロック部材とレバー部材の模式断面図。
【図１１】本発明の実施例であるガイド部材とレバー部材の模式断面図。
【発明を実施するための形態】
【００１３】
以下、本発明の実施の形態について図面を用いて詳細に説明する。
【００１４】
ただし、この実施の形態に記載されている構成部品の寸法、材質、形状それらの相対配置などは、特に特定的な記載がない限りは、この発明の範囲をそれらのみに限定する趣旨のものではない。
【００１５】
（インクジェット記録装置）
図１に、本発明の実施の形態に係るインクジェット記録装置１の斜視図を示す。インクジェット記録装置１は、給送部２と記録部３を備えている。図１において左側が装置前方（ＦＲＯＮＴの表示で示す）であり、符合Ａで示した方向が被記録媒体搬送方向である。
【００１６】
給送部はインクジェット記録装置１の本体後方上部に配置され、記録部３は給送部２の装置本体前方に配置されている。給送部にセットされた被記録媒体が給送部の給送手段により図１に示すＡ方向に給送され、記録部３に到達する。その後記録部３に搭載された搬送手段により搬送される中で記録動作が行われる。記録動作終了後、被記録媒体は記録部３の前方より機外に排出される構成になっている。
【００１７】
（給送部の構成）
次に本発明の実施の形態に係る給送部の構成について図２〜図４を用いて説明する。図２および図３は給送部２の概略斜視図であり、図４はその概略断面図である。給送部２は、圧板１１、給送ローラ１２、分離ローラ１３、および圧板１１、給送ローラ１２、分離ローラ１３を支持する給送フレーム１５を備えている。図４に示す１６は被記録媒体である用紙束である。
【００１８】
圧板１１は用紙束１６を載置する載置台であり、その上端付近の回転中心部１７を給送フレーム１５に対して回動自在に軸支されており、回転中心部１７を中心に下端が給送ローラ１２に対して接触／離間する方向に回動可能な構成となっている。給送ローラ１２は円筒形状をなしており、給送フレーム１５に対して回動可能に軸支され、圧板の下端部近傍に対向する位置に配置されている。また図２に示すように、給送ローラ１２は圧板１１の用紙載置部幅方向の略中央部付近に対向するように配置されており、圧板１１に載置された用紙束１６の幅方向中央部付近を給送する構成となっている。
【００１９】
圧板１１には用紙束１６を案内する左右のガイド部材１８、１９が取り付けられている。左右のガイド部材１８、１９にはそれぞれ左右の用紙側端ガイド部材が具備されている。図２、図４には左ガイド部材１８に具備されている用紙左側端ガイド部材２０を示す。図３に右ガイド部材１９に具備されている用紙右側端ガイド部材２１を示す。左右のガイド部材１８、１９は圧板１１に対して用紙搬送方向に交差する方向、すなわち用紙幅方向に移動可能に取り付けられており、載置する用紙サイズに合わせて装置使用者が操作することが可能な構成になっている。
【００２０】
ここで図５に左右のガイド部材１８、１９の連結機構の模式斜視図を示す。図５に示すように左右のガイド部材１８、１９は夫々ラック形状を有した左右のガイド腕部材２２、２３と一体的に移動可能に締結されており、左右のガイド腕部材２２、２３がピニオン部材であるガイド部材ギア２４と歯合している。（ガイド部材ギア２４は図２〜図４に示す圧板１１の裏面の用紙幅方向略中央部に圧板に対して回動自在に取り付けられている。）このため本装置においては、左右どちらかのガイド部材を操作するともう一方のガイド部材も連動して移動する構成となっている。また、左右のガイド部材１８、１９は給送ローラ１２に対して用紙束１６の左右幅方向側端までの距離が同じになるように調整されている。よって様々なサイズの用紙束を圧板１１上に載置した時においても、左右のガイド部材１８、１９で幅方向の位置を調整することにより、給送ローラ１２が用紙束の幅方向略中央付近に位置する構成となっている。よって用紙束１６の給送動作を行ったとき、用紙の搬送精度の左右による差を軽減させる構成となっている。
【００２１】
図４に示すように分離ローラ１３は給送ローラ１２の下方、圧板１１の下流側に配置されており、給送ローラ１２に接触する接触姿勢と給送ローラ１２から離間する離間姿勢との間で分離ローラ軸１３ａを中心に回動可能の状態で軸支される構成となっている。また分離ローラ１３はトルクリミッタ機構により略一定の従動回転抵抗が与えられた構成になっており、給送ローラ１２の回転と分離ローラ１３の従動回転抵抗により用紙束１６の分離動作が行われる構成となっている。
【００２２】
（記録部の構成）
図６は、本発明の実施の形態に係る記録部３の概略断面図である。記録部３は搬送手段である搬送ローラ３１、搬送ローラに従動して回転する従動ローラ３２、プラテン３３、排紙ローラ３４、記録手段３５を備えている。給送部から給送された用紙の先端が搬送ローラ３１に到達すると、用紙は搬送ローラ３１、従動ローラ３２で挟持されながら記録部を搬送される。さらに用紙の先端が排紙ローラ３４に到達すると搬送ローラ３１と排紙ローラ３４の両方により搬送され、その途中に記録手段３５により記録動作が行われる構成となっている。
【００２３】
（給送および記録動作）
次に図４、図６を用いて一連の給送および記録動作について説明する。給送部２は待機状態においては図４に示すように、圧板１１が給送ローラ１２から離間した位置で保持される構成となっている。この状態で装置使用者は図４に示すように用紙束１６を圧板１１上に載置する。そして左右のガイド部材１８、１９を操作して左右の用紙側端ガイド部材２０、２１により、用紙束１６の左右の側端位置を規制することで給送ローラ１２が用紙束１６の幅方向略中央部に当接するように調整することが可能な構成となっている。
【００２４】
給送動作が開始されると、給送ローラ１２が図４における符号Ｂで示した回転方向へ回転し始める。すると、圧板１１が符号Ｃで示した揺動方向へ揺動し、圧板１１上に載置された用紙束１６の最上位の用紙１６ａが給送ローラ１２の外周面に押しつけられて当接する。
【００２５】
給送ローラ１２が符号Ｂで示した回転方向へさらに回転すると、給送ローラ１２の外周面に当接している用紙１６ａが給送方向へ給送されていく。前述したように、用紙１６ａの下側に重なった状態の他の用紙束１６ｚは、分離ローラ１３の従動回転抵抗によって最上位の用紙１６ａから分離されて、給送ローラ１２の外周面と分離ローラ１３の外周面との当接面より先への進入が防止される。
【００２６】
給送ローラ１２が符号Ｂで示した回転方向へさらに回転し、所定の回転位置まで回転した時点で圧板１１が符号Ｄで示した揺動方向へ揺動する。このように、圧板１１が給送ローラ１２から離間し、圧板１１が給送ローラ１２に押し付けられた状態から解除されるので、圧板１１および給送ローラ１２から用紙へのバックテンションが軽減される構成となっている。
【００２７】
給送ローラ１２がさらに回転すると、用紙束から分離された用紙１６ａの先端は図６に示す搬送ローラ３１および従動ローラ３２が接する位置に到達する。ここで搬送ローラ３１の回転方向や、給送ローラ１２や搬送ローラ３１の回転速度や回転数を制御することにより、用紙１６ａの先端を用紙搬送方向に対して直角に揃える所謂レジストレーション取り動作を行う。ここで、圧板上に配置された左右のガイド部材１８、１９における左右の側端ガイド部材２０、２１が用紙１６ａの左右側端を規制していることにより、用紙１６ａの幅方向の位置精度の低下を防止しつつ先端を揃えるレジストレーション取り動作を行うことが可能な構成になっている。
【００２８】
レジストレーション取り動作終了後、用紙１６ａは搬送ローラ３１と従動ローラ３２に挟持され、搬送ローラ３１の用紙搬送方向への回転駆動により搬送され、その後に用紙１６ａが記録動作開始位置に達した後に記録手段３５による記録動作が開始される構成となっている。
【００２９】
ここで、搬送ローラ３１による用紙１６ａの搬送が開始された後で、記録手段３５による記録動作が開始される前に、分離ローラ１３が給送ローラ１２から離間する方向に揺動し、また給送ローラ１２への駆動は非伝達状態となる。このため搬送ローラ３１により搬送されている用紙１６ａと給送ローラ１２が接触していても、給送ローラ１２は用紙１６ａに従動回転する（所謂連れ周り状態）。よって給送ローラ１２および分離ローラ１３から用紙１６ａへのバックテンションは軽減される構成となっている。
【００３０】
また、本実施例においては、搬送ローラ３１による用紙１６ａの搬送が開始された後で、記録手段３５による記録動作が開始される前に、後述する用紙側端ガイド部材離間手段により、左右の用紙側端ガイド部材２０、２１を用紙１６ａの側端から離間する方向に移動させる構成となっている。よって用紙側端の摩擦抵抗は軽減され、左右の用紙側端ガイド２０、２１から用紙１６ａへのバックテンションも軽減される構成となっている。
【００３１】
用紙１６ａが搬送ローラ３１により搬送され、記録動作開始位置に達すると搬送ローラ３１による搬送は一旦停止される。この状態で記録手段３５が用紙１６ａの印字面上を搬送方向に交差する方向に往復運動し、その過程でインク滴を吐出することで1ライン分の記録動作を行う。1ライン分の記録動作が終了すると用紙１６ａは搬送ローラ３１により必要量だけ搬送して停止する。すると再び記録手段３５が往復移動を行ない、その過程でインク吐出による記録動作が行われる。この動作を繰り返すことにより、用紙ほぼ全面への記録動作が可能となる。
【００３２】
上記のように本実施例においては用紙１６ａへの記録動作時に、圧板１１および分離ローラ１３を給送ローラ１２から離間させ給送ローラへ１２の駆動を非伝達状態にすることで、圧板１１、給送ローラ１２、分離ローラ１３から用紙へのバックテンションを軽減している。また左右の用紙側端ガイド部材２０、２１を用紙側端から離間させることで、左右の用紙側端ガイド２０、２１から用紙へのバックテンションを軽減している。このように用紙への様々なバックテンションを軽減することで用紙の搬送精度が向上して、優れた画像品質の記録動作を行うことが可能な構成となっている。
【００３３】
（次の用紙給紙時における用紙側端ガイドの動作）
上述した給送および記録動作により、用紙１６ａの記録動作が終了すると、２枚目の用紙１６ｂの給送動作が開始される。ここで、１枚目の用紙１６ａの記録動作が終了した後で、２枚目の用紙１６ｂの給送が開始する前に、左右の用紙側端ガイド部材２０、２１が２枚目の用紙１６ｂの側端部に接触する方向に移動する構成となっている。このように本実施例においては、記録動作時には左右の用紙側端ガイド部材が用紙側端部から離間し、次の用紙の給紙時には離間していた左右の側端ガイド部材が内側に移動して用紙束側端部に接触し、給紙時には用紙束側端部をガイドすることで良好な給紙動作を行うことが可能な構成となっている。
【００３４】
（サイドガイドロック手段）
ここで本実施例においては、ガイド部材の圧板部材に対する移動を抑制するガイド部材ロック手段を備えている。まず図５にてガイド部材ロック部材であるサイドガイドロックギア２５の位置を示す。図５に示すように、サイドガイドロックギア２５は左ガイド腕部材２２のラック面に対向する位置で、ピニオン部材であるガイド部材ギア２４の近傍に配置されている。次に図７（ａ）、（ｂ）にて本実施例におけるガイド部材ロック手段について説明する。サイドガイドロックギア２５は、左ガイド腕部材２２のラック形状と歯合する歯型形状を有する。図７（ａ）は用紙セット時および給紙動作時における左ガイド腕部材２２に対するサイドギアロックギア２５の位置を示しており、図７（ｂ）は記録動作時での位置を示している。図７（ａ）の用紙セット時および給紙動作時においては、サイドガイドロックギア２５と左ガイド腕部材２２は離間しており、サイドガイドロックギア２５は左ガイド腕部材２２に対して非歯合位置にある。このため装置使用者は圧板に対してガイド部材を移動することが可能である。一方、図７（ｂ）に示した記録動作時においては、サイドガイドロックギア２５は図７（ｂ）において上方（矢印方向）に移動して左ガイド腕部材２２に対して歯合位置にある。このため左ガイド腕部材２２の左右方向への移動が抑制された状態となっている。ここで図５に示したように、右ガイド腕部材２３はガイド部材ギア２４を介して左ガイド腕部材２２と連結されているため、サイドガイドロックギア２５によりロックされることで、左右のガイド腕部材２２、２３の移動が抑制される構成となっている。
【００３５】
このように本実施例においては、図４、図６にて説明したように、記録動作時には左右の用紙側端ガイド部材２０、２１が用紙１６ａの側端から離間し、２枚目の用紙１６ｂの給送が開始する前に、左右の用紙側端ガイド部材２０、２１が２枚目の用紙１６ｂの側端部に接触する方向に移動する。ここで、記録動作時には図７（ｂ）に示すようにサイドガイドロックギア２５が、左ガイド腕部材２２のラック形状に対して歯合位置にあり左右のガイド部材２０、２１の圧板部材１１に対する移動が抑制されている。このため、装置使用者が記録動作中に用紙セット時の操作ミスと混同して、離間している左右のガイド部材１８、１９を誤って操作して用紙１６ａの側端に接触させてしまうことを抑制している。よって、２枚目の用紙１６ｂの給送が開始する時に左右の用紙側端ガイド部材２０、２１が内側に移動して用紙束１６の幅よりも狭くなり、用紙束端部の折れや損傷が発生することを防いでいる。
【００３６】
ここで前述のように、サイドガイドロックギア２５はピニオン部材であるガイド部材ギア２４の左側近傍に配置され、左ガイド腕部材２２と歯合する構成となっている。仮にサイドガイドロックギア２５がガイド部材ギア２４の右側にて左ガイド腕部材２２と歯合する構成となっていると、左ガイド部材１８を最も左側に広げた場合にも左ガイド腕部材２２とサイドガイドロックギア２５が歯合するためには左ガイド腕部材２２の右端部を長く構成する必要がある。しかし本実施例のようにサイドガイドロックギア２５がガイド部材ギア２４の左側にて左ガイド腕部材２２と歯合する構成とすることにより、左ガイド腕部材２２の右端部は左ガイド部材１８を最も左側に広げた場合に左ガイド腕部材２２がガイド部材ギア２４を歯合する長さに留めることが可能となる。よって左ガイド腕部材２２の長さを必要以上に長くする必要がなくなる。このように、サイドガイドロックギア２５はガイド部材ギア２４と左ガイド部材１８との間にて左ガイド腕部材２２と歯合する位置に配置されている。このため左ガイド腕部材２２の端部の長さを必要以上に長くすることを防ぎ、装置の小型化に貢献している。
【００３７】
なお本実施例においては、サイドガイドロックギア２５はガイド部材ギア２４と左ガイド部材１８との間にて左ガイド腕部材２２と歯合する位置に配置されているが、ガイド部材ギア２４と右ガイド部材１９との間にて右ガイド腕部材２３と歯合する位置に配置されても、本実施例と同様に装置の小型化に貢献するのは明白である。
【００３８】
（ガイド部材構成および用紙側端ガイド離間手段構成）
次に図８を用いて左ガイド部材１８の構成および用紙側端ガイド離間手段の構成について説明する。図８（ａ）、（ｂ）は左ガイド部材１８の用紙搬送方向下流側から上流側を見た模式断面図である。図８（ａ）は用紙セット時および給紙動作時の模式断面図であり、図８（ｂ）は記録動作時の模式断面図である。図８（ａ）、（ｂ）において、用紙左側端ガイド部材２０は左ガイドベース２６に対して用紙幅方向（図８（ａ）、（ｂ）において左右方向）に移動可能に取り付けられている。また、左側端ガイドシフト部材２７は左ガイドベース２６に対して上下方向に移動可能に取り付けられている。
【００３９】
図８（ａ）に示すように、用紙セット時および給紙動作時においては、用紙左側端ガイド部材２０が左側端ガイドシフト部材２７の用紙側端当接部２７ａに当接しており、用紙左側端ガイド部材２０が左ガイドベース２６から突出した状態で用紙束１６の幅方向の位置が規定される構成となっている。なお、用紙左側端ガイド部材２０は模式的に示した用紙左側端ガイドばね２８により図８（ａ）において符号Ｅで示した方向に付勢力を受けており、左側端ガイドシフト部材２７は模式的に示した左側端ガイドシフトばね２９により図８（ａ）において符号Fで示した方向（下方向）に付勢力を受けている。一方図８（ｂ）に示すように記録動作時においては、左側端ガイドシフト部材２７が左側端ガイドシフトばね２９の付勢力に抗して上方向に移動する。すると用紙左側端ガイド部材２０は左側端ガイドシフト部材２７の用紙側端当接部２７ａから離間して、用紙左側端ガイドばね２８の付勢力により図８（ｂ）において符号Ｅで示した方向に移動する。その結果、用紙左側端ガイド部材２０は左ガイドベース２６に埋没する状態となり、用紙束１６の端部から離間する構成となっている。
【００４０】
記録動作が終了すると、左側端ガイドシフト部材２７の上方への移動が解除される。すると、左側端ガイドシフトばね２９の付勢力により、左側端ガイドシフト部材２７が図８（ａ）、（ｂ）において下方に移動して、これに連動して用紙左側端ガイド部材２０が用紙左側端ガイドばね２８の付勢力に抗して図８（ａ）、（ｂ）において右方向に移動する。そして、図８（ａ）に示す用紙セット時および給紙動作時の状態に遷移する。
【００４１】
このように、本実施例においては、左側端ガイドシフト部材２７の上下移動により、用紙左側端ガイド部材２０を左ガイドベース２６に対して突出/埋没の移動をさせて用紙端部との接触/離間動作を制御する、用紙側端ガイド離間手段を具備している。
【００４２】
（サイドガイドロックギア移動および側端ガイドシフト部材移動手段）
次に図９〜図１１を用いてサイドガイドロックギア２５および左側端ガイドシフト部材２７の移動手段について説明する。
【００４３】
図９はサイドガイドロックギア２５と左ガイド部材１８と、サイドガイドロックギア２５および左側端ガイドシフト部材２７の移動手段であるガイドシフトレバーを用紙搬送方向上流側から見た模式斜視図である。図９において、ガイドシフトレバー３０は回転軸３０ａを中心に回動自在なレバー部材である。なお図４に示すように、ガイドシフトレバー３０は給送フレーム１５に軸支されており、圧板部材１１に対して用紙束１６の載置面の反対側に配置されている。また図９に示すように、ガイドシフトレバー３０は幅方向中央部付近にサイドガイドロックギア押圧部３０ｂを一体的に有しており、さらにはサイドガイドロックギア押圧部３０ｂよりも端部側にガイドシフト押圧部３０ｃを一体的に有している。
【００４４】
図１０は左ガイド腕部材２２とサイドガイドロックギア２５およびサイドガイドレバー３０を図９におけるＧ方向から見たときの模式断面図であり、図１０（ａ）は用紙セット時および給紙動作時の模式断面図、図１０（ｂ）は記録動作時の模式断面図である。また図１１は左ガイド部材１８およびサイドガイドレバー３０を図９におけるG方向から見たときの模式断面図であり、図１１（ａ）は用紙セット時および給紙動作時の模式断面図、図１１（ｂ）は記録動作時の模式断面図である。
【００４５】
用紙セット時および給紙時のサイドガイドロックギア２５と左側端ガイドシフト部材２７の位置は以下となる。図１０（ａ）においては、ガイドシフトレバー３０はサイドガイドロックギア２５から離間しており、図７（ａ）に示すように、サイドガイドロックギア２５は左ガイド腕部材２２に対して非歯合位置となり、圧板に対する左右のサイドガイドの移動が可能となる。また図１１（ａ）においては、ガイドシフトレバー３０は左側端ガイドシフト部材２７から離間しており、図８（ａ）に示すように用紙左側端ガイド部材２０は左ガイドベース２６に対して突出状態となる。
【００４６】
一方、記録動作時のサイドガイドロックギア２５と左側端ガイドシフト部材２７の位置は以下となる。図１０（ｂ）においてはガイドシフトレバー３０が回転軸３０ａを中心に回転することにより、ガイドシフトレバー３０に設けられたサイドガイドロックギア押圧部３０ｂがサイドガイドロックギア２５の下面に接触、これを押圧している。よってサイドガイドロックギア２５が上方に移動して、図７（ｂ）に示すように、サイドガイドロックギア２５と左ガイド腕部材２２が歯合し、圧板に対する左右のサイドガイドの移動を抑制する構成となっている。また、図１１（ｂ）においては、ガイドシフトレバー３０が回転軸３０ａを中心に回転することにより、ガイドシフトレバー３０に設けられたガイドシフト押圧部３０ｃが左側端ガイドシフト部材２７の下面に接触、これを押圧している。よって左側端ガイドシフト部材２７が上方に移動して、図８（ｂ）にて説明したように、用紙左側端ガイド部材２０は左ガイドベース２６に対して埋没状態となる。
【００４７】
なお、サイドガイドロックギア２５は用紙幅方向には移動せず、ガイド部材ギア２４の近傍に配置されているため、図９に示すように、ガイドシフトレバー３０のサイドガイドロックギア押圧部３０ｂはガイドシフトレバー３０の幅方向中央部付近に比較的小さい幅で形成されている。一方、左ガイド部材１８は圧板上を用紙幅方向に移動可能であるため、左側端ガイドシフト部材２７の位置は用紙幅方向で移動する。よって図９に示すように、ガイドシフトレバー３０のガイドシフト押圧部３０ｃはサイドガイドロックギア押圧部３０ｂよりも端部側に、比較的大きい幅で形成されている。また、図５に示すように、右ガイド部材１９はガイド部材ギア２４を介して左ガイド部材１８と連結されており、右ガイド部材１９は圧板上を用紙幅方向に移動可能となる。このため、図９に示すように、ガイドシフトレバー３０のガイドシフト押圧部３０ｃは用紙幅方向反対側にも形成されている。
【００４８】
このように、本実施例においては、用紙左側端ガイド部材の用紙端部からの離間動作と共に、サイドガイドロックギアの左ガイド腕部材に対する歯合位置と非歯合位置との相互遷移を、同一のレバー部品であるガイドシフトレバー３０により行う。このため、圧板に対する左右のサイドガイドの移動抑制ロック動作を精度良く実現できる構成となっている。
【００４９】
また、サイドガイドロックギア２５をガイド部材ギア２４の近傍に配置することでガイドシフトレバー３０のサイドガイドロックギア押圧部３０ｂとガイドシフト押圧部３０ｃを同軸上に配置することが可能となり、装置の小型化に貢献する構成となっている。
【００５０】
以上のように、本発明の実施の形態に係る給送部においては、ガイドシフトレバー３０を回転させて、左右の用紙側端ガイド２０、２１を用紙束側端から離間させると共に、サイドガイドロックギア２５と左ガイド腕部材２２を歯合させることにより、圧板に対する左右のガイド部材の移動を抑制している。このため、用紙端部とガイド部材が離間した状態において、装置使用者がガイド部材を移動させることにより、用紙の不揃いや用紙端部の損傷が発生することを防ぐ給送記録装置を簡易な構成で実現している。
【００５１】
なお、本実施例においては、左右のガイド部材１８、１９の一部に左右の用紙側端ガイド部材２０、２１を設け、左右の用紙側端ガイド部材２０、２１を用紙側端から離間させる方向に移動させる用紙側端ガイド部材離間手段を設けているが、左右のガイド部材１８、１９そのものを用紙側端から離間させる方向に移動させるガイド部材離間手段を設ける構成においても、サイドガイドロックギアによる左右のガイド部材の移動抑制については同様の効果が得られることは自明である。
【００５２】
以上に説明した実施形態例に基づく本願発明は以下の態様および効果を奏する。
【００５３】
本願の第１の態様は、被記録媒体を載置する圧板部材と、前記圧板部材に対して被記録媒体搬送方向に交差する方向へ移動可能に取り付けられたガイド部材と、前記被記録媒体を給送する給送手段と、前記給送手段の下流側に配置された搬送手段とを備え、前記ガイド部材あるいは前記ガイド部材の一部である側端ガイド部材を前記被記録媒体の側端（被記録媒体搬送方向に交差する方向にある端部）から離間させる方向に移動させるガイド部材離間手段を有する記録装置において、前記ガイド部材あるいは前記側端ガイド部材が前記被記録媒体側端から離間しているときに、前記ガイド部材の前記圧板部材に対する移動を抑制するガイド部材ロック手段を備えたことを特徴とする。
【００５４】
本願の第２の態様では、上記第１の態様に加えて、前記記録装置は、前記搬送手段の下流側に配置された記録手段を備え、前記記録媒体が前記搬送手段に到達し前記搬送手段による搬送動作開始後で、前記記録手段による前記被記録媒体への記録動作開始前に、前記ガイド部材離間手段による前記ガイド部材あるいは前記側端ガイド部材の離間動作が行われることを特徴とする。
【００５５】
上記第１および第２の態様によれば、装置使用者が被記録媒体セット時の操作ミスと混同して、誤ってガイド部材の移動を行う可能性のあるガイド部材離間時において、ガイド部材の移動を防ぐことが可能となる。このため、圧板上に載置された次ページ以降の被記録媒体の不揃いや、被記録媒体端部の損傷の発生の抑制を実現している。
【００５６】
また本願の第３の態様では、上記第２の態様に加えて、前記ガイド部材にはラック形状が一体的に形成され、前記ガイド部材ロック手段は前記ガイド部材のラック形状と歯合する歯型形状を有するガイド部材ロック部材が、前記ガイド部材のラック部と歯合する歯合位置と、前記ガイド部材のラック部から離間する非歯合位置とを相互遷移することであることを特徴とする。
【００５７】
本願の第４の態様は、上記第３の態様に加えて、前記圧板部材に対して被記録媒体載置面の反対側に、回転中心を軸支されたレバー部材が設けられていて、該レバー部材の回動により、前記ガイド部材ロック部材の歯合位置と非歯合位置との相互遷移が行われることを特徴とする。
【００５８】
上記第３および第４の態様によれば、上記第１および２の態様の効果に加えて、簡易な機構でガイド部材ロック手段を構成することが可能となり、用紙の不揃いや用紙端部の損傷の発生を防ぐ記録装置を簡易な構成で実現している。
【００５９】
また本願の第５の態様は、上記第４の態様に加えて、前記レバー部材の回動により、前記ガイド部材ロック部材の移動と共に、前記ガイド部材あるいは前記側端ガイド部材の離間動作が行われることを特徴とする。
【００６０】
上記第５の発明によれば、上記第１〜４の発明の効果に加えて、ガイド部材ロック手段とガイド部材離間手段を共通の機構で駆動させることが可能となり、用紙の不揃いや用紙端部の損傷の発生を防ぐ記録装置をさらに簡易な構成で実現している。
【００６１】
また本願の第６の態様は、上記第３の態様に加えて、前記圧板部材には、左右の前記ガイド部材が取り付けられ、また被記録媒体の幅方向略中央部付近にピニオン部材が回動可能な状態で取り付けられ、前記ピニオン部材は前記左右のガイド部材のラック形状と歯合する位置に配置されており、前記ガイド部材ロック部材は前記ピニオン部材と前記左右のどちらか一方のガイド部材との間にて、当該ガイド部材のラック形状部に歯合する位置に配置され、かつ前記ピニオン部材の近傍に配置されていることを特徴とする。
【００６２】
上記第６の発明によれば、ガイド部材のラック部を必要以上に長くすることなく、装置の小型化を実現することが可能な構成となっている。
【００６３】
勿論、本願発明は上記の態様に限らず、本願の発明思想を逸脱しない範囲で様々な態様に変更可能である。
【符号の説明】
【００６４】
１１    圧板
１２    給送ローラ
１８    左ガイド部材
１９    右ガイド部材
２０    用紙左側端ガイド部材
２１    用紙右側端ガイド部材
２２    左ガイド腕部材
２３    右ガイド腕部材
２４    ガイド部材ギア
２５    サイドガイドロックギア
２７    左側端ガイドシフト部材
２８    用紙左側端ガイドばね
２９    左側端ガイドシフトばね
３０    ガイドシフトレバー
３５    記録手段
【図１】
2013049503.tif 000003
【図２】
2013049503.tif 000004
【図３】
2013049503.tif 000005
【図４】
2013049503.tif 000006
【図５】
2013049503.tif 000007
【図６】
2013049503.tif 000008
【図７】
2013049503.tif 000009
【図８】
2013049503.tif 000010
【図９】
2013049503.tif 000011
【図１０】
2013049503.tif 000012
【図１１】
2013049503.tif 000013